(57)【要約】【課題】  再封可能な合掌状の接合部を有する包装袋において開口状態を保持する。【解決手段】  プラスチックフィルムを袋体の背貼り部Ｓ中央を合掌箇所１とした筒状に折曲し、合掌箇所および筒の開口端４、４の内面同士を貼り合わせることにより構成される袋体Ｐにおいて、上端に貼り合わせ部分２を残した状態で再封用のファスナーＦを合掌箇所の袋体寄りに設けると共に、ファスナーを２個の対面するファスナー部材Ｆ１、Ｆ２間での係合に加えて、それぞれのファスナー部材内での係合も可能な自己係合タイプのものとする。【選択図】      図１
2012171621.tif 000002
【特許請求の範囲】
【請求項１】
プラスチックフィルムを袋体の背貼り部中央を合掌箇所とした筒状に折曲し、合掌箇所および筒の開口端の内面同士を貼り合わせることにより構成される袋体において、上端に貼り合わせ部分を残した状態で再封用のファスナーを合掌箇所の袋体寄りに設けると共に、ファスナーを２個の対面するファスナー部材間での係合に加えて、それぞれのファスナー部材内での係合も可能な自己係合タイプのものとしたことを特徴とする包装袋。
【請求項２】
ファスナーは雌雄同体のホモタイプのファスナーである請求項１記載の包装袋。
【請求項３】
ファスナーはマッシュルーム状の頭部を有する雄係合素子と、上記の雄係合素子のマッシュルーム状の頭部が嵌入可能なＣ字状の頭部を有する雌係合素子を交互に等間隔で突設した構成よりなるファスナーである請求項１記載の包装袋。
【請求項４】
合掌箇所の上端の貼り合わせ部分の側端に引き裂きのための切り込みを設けた請求項１から３のいずれかに記載の包装袋。
【請求項５】
袋体の両側にガゼット折り込みを施した請求項１から４のいずれかに記載の包装袋。
【請求項６】
プラスチックフィルムを袋体の背貼り部中央を合掌箇所とした筒状に折曲し、合掌箇所および筒の開口端の内面同士を貼り合わせることにより構成される袋体内に収容される包装付き食品において、上端に貼り合わせ部分を残した状態で再封用のファスナーを合掌箇所の袋体寄りに設けると共に、ファスナーを２個の対面するファスナー部材間での係合に加えて、それぞれのファスナー部材内での係合も可能な自己係合タイプのものとしたことを特徴とする包装付き食品。
【発明の詳細な説明】
【技術分野】
【０００１】
この発明は再封可能な合掌状の接合部を有する包装袋およびそれを使用した包装付き食品に関する。
【背景技術】
【０００２】
プラスチックフィルムを袋体の背貼り部中央を合掌箇所とした筒状に折曲し、合掌箇所および筒の開口端の内面同士を貼り合わせることにより構成されるピロー包装タイプの包装袋が広く使用されている。また、この種の包装袋において合掌箇所に再封用のファスナーを設けたものも公知である（特許文献１）。
【０００３】
前記の公知発明においては、それを特に食品の包装に使用する場合は、開封部分となる合掌箇所を袋体の背貼り部中央に設けることにより開封時に大きな開口を得られる。
【０００４】
また、一旦開封しても合掌箇所に設けたファスナーにより再封可能なので、食品を食べ残した場合の保存に便利であった。
【０００５】
【特許文献１】特開平７−２１５３４８号公報
【発明の開示】
【発明が解決しようとする課題】
【０００６】
ところで、包装袋の再封用のファスナーには一般的にはポリ塩化ビニルやポリエチレン製のレールファスナーが使用されている。この場合、ファスナーはそれなりの剛性と復元力を有する。従って、合掌箇所から袋を左右に大きく開いても、指先で開口端の左右を摘んで保持していないと直線状に戻ろうとするファスナーの復元力により開いた開口が閉じてしまうという問題があった。
【０００７】
すなわち、食品を食べ残した場合の保存に便利なように包装袋に再封用のファスナーを設けると、大きな開口を得ようとしても、それを指先で保持しない限り閉じてしまうという相反する問題が生じることとなった。
【課題を解決するための手段】
【０００８】
この発明は前記の問題を解消した包装袋および包装付き食品を提供することを目的として創作されたものである。
【０００９】
すなわち、この発明の包装袋はプラスチックフィルムを袋体の背貼り部中央を合掌箇所とした筒状に折曲し、合掌箇所および筒の開口端の内面同士を貼り合わせることにより構成される袋体において、上端に貼り合わせ部分を残した状態で再封用のファスナーを合掌箇所の袋体寄りに設けると共に、ファスナーを２個の対面するファスナー部材間での係合に加えて、それぞれのファスナー部材内での係合も可能な自己係合タイプのものとしたことを特徴とする。
【００１０】
また、この発明の包装付き食品はプラスチックフィルムを袋体の背貼り部中央を合掌箇所とした筒状に折曲し、合掌箇所および筒の開口端の内面同士を貼り合わせることにより構成される袋体内に収容される包装付き食品において、上端に貼り合わせ部分を残した状態で再封用のファスナーを合掌箇所の袋体寄りに設けると共に、ファスナーを２個の対面するファスナー部材間での係合に加えて、それぞれのファスナー部材内での係合も可能な自己係合タイプのものとしたことを特徴とする。
【発明の効果】
【００１１】
以上の構成よりなるこの発明は次の特有の効果を奏する。
(1) 再封用のファスナーをファスナー部材内での係合が可能な自己係合タイプとしているので、図９に示すようにファスナーを開いて開口を得た際に、対面するそれぞれのファスナー部材の中央をＡ−Ａ方向に折り曲げて重ねることによりこの部分が自己係合する。よって、復元力によりファスナーが直線状に戻ることが防止され、開口状態を保持することが可能となる。
(2) 前記のように開口状態を保持した状態では、対面するそれぞれのファスナー部材は中央がＡ−Ａ方向に折り曲げられて重なることにより全長が短くなる。その結果、袋体は全長が短くなったファスナー部材により四隅が長手方向に引き寄せられて図の矢印方向に立ち上がることになり、食品などの内容物が中央へ寄せられて取り出しがより容易になる。
(3) 袋体の背貼り部中央に開口が生じるので、袋体をテーブルなどの上に平面的に置いて開口から食品を取り出すことが可能となるので、あたかも皿のような使用ができ、例えば大勢でスナック食品などをつまむことが可能となる。
【図面の簡単な説明】
【００１２】
【図１】この発明の包装袋の開封前の状態の斜視図。
【図２】同上、開封の過程を示す斜視図。
【図３】この発明の包装袋の開封前の状態の断面図。
【図４】同上、開封の過程を示す断面図。
【図５】この発明の包装袋のファスナーの要部の平面図。
【図６】この発明の包装袋のファスナーの異なる実施例の要部の平面図。
【図７】同上、自己係合状態の要部の平面図。
【図８】この発明の包装袋の開封の過程を示す斜視図。
【図９】この発明の包装袋の開封状態の斜視図。
【図１０】この発明の包装袋の異なる実施例の断面図。
【発明を実施するための最良の形態】
【００１３】
以下、この発明の具体的実施例を添付図面に基づいて説明する。図１はこの発明の袋体Ｐの開封前の状態を示す斜視図である。この袋体Ｐはプラスチックフィルムを袋体の背貼り部Ｓの中央を合掌箇所１とした筒状に折曲し、合掌箇所および筒の開口端４、４の内面同士を貼り合わせることにより構成される公知の袋体をベースとしている。この発明においては、前記袋体Ｐの合掌箇所１上端に貼り合わせ部分２を残した状態で再封用のファスナーＦを合掌箇所の袋体寄りに設けている。図中符号３は前記貼り合わせ部分２の両端に設けられる引き裂きのためのノッチ状の切り込みである。以上の貼り合わせ手段に関し、ここではヒートシールを採用している。
【００１４】
以上の袋体Ｐには、製袋過程において食品などの内容物（図示せず）が収容される。なお、図１０に示すように袋体Ｐの両側にガゼット折り込みＧ、Ｇを施してもよいことは勿論である。
【００１５】
この発明の特徴部分は前記のファスナーＦにある。すなわち、ファスナーＦを２個の対面するファスナー部材Ｆ１、Ｆ２間での係合に加えて、それぞれのファスナー部材内での係合も可能な自己係合タイプのものとしている。
【００１６】
図５はこの実施例で使用しているファスナーを示す図である。ここでは雌雄同体のホモタイプのファスナーを採用している。すなわち、ここでは対面するファスナー部材Ｆ１、Ｆ２は共に同じ形状のものであり、マッシュルーム状の頭部１１を有する係合素子１０を等間隔で突設したものを採用している。この場合、図に示すように、ファスナー部材同士を圧接することにより、互いの係合素子１０のマッシュルーム状の頭部１１同士が係合することになる。そして、同じ作用はそれぞれのファスナー部材Ｆ１、Ｆ２を折り曲げて圧接した場合にそれぞれのファスナー部材内でも生じる。
【００１７】
図６〜７は自己係合タイプのファスナーの異なる実施例を示すものである。ここでは、ファスナー部材はＦ１、Ｆ２はマッシュルーム状の頭部２１を有する雄係合素子２０と、上記の雄係合素子のマッシュルーム状の頭部が嵌入可能なＣ字状の頭部２３を有する雌係合素子２２を交互に等間隔で突設した構成よりなる。この場合、ファスナー部材はＦ１、Ｆ２同士を係合する場合は図６に示すようにそれぞれの雄係合素子２０と雌係合素子２２が係合するが、それぞれのファスナー部材Ｆ１、Ｆ２を折り曲げて圧接した場合は前記作用の他に、図７に示すように雄係合素子２０同士、雌係合素子２２が係合する作用も生じる。
【００１８】
以上の構成からなる袋体Ｐの開封方法は次の通りである。
(1) 切り込み３を引き裂きのためのきっかけとして、合掌箇所１の上端の貼り合わせ部分２を引き裂きにより切り取る（図２参照）。
(2) 合掌箇所１の上端に露出したファスナーＦのファスナー部材Ｆ１、Ｆ２同士を引き離すことによりその係合を解除する（図８参照）。
(3) ファスナー部材Ｆ１、Ｆ２同士をさらに引き離すことにより背貼り部Ｓ上に開口Ｈを得る（図９参照）。
(4) 対面するそれぞれのファスナー部材Ｆ１、Ｆ２の中央をＡ−Ａ方向に折り曲げて重ねることによりこの部分を自己係合させ開口状態を保持する（図９参照）。
【符号の説明】
【００１９】
Ｆ                  ファスナー
Ｆ１、Ｆ２          ファスナー部材
Ｍ                  袋体
１                  合掌部分
２                  貼り合わせ部分
４                  （貼り合わせ部分となる）開口端
【図１】
2012171621.tif 000003
【図２】
2012171621.tif 000004
【図３】
2012171621.tif 000005
【図４】
2012171621.tif 000006
【図５】
2012171621.tif 000007
【図６】
2012171621.tif 000008
【図７】
2012171621.tif 000009
【図８】
2012171621.tif 000010
【図９】
2012171621.tif 000011
【図１０】
2012171621.tif 000012